(57)【要約】【課題】患者の体内に留置する体内留置型の管状治療具を用いた治療方針の検討を容易化できるシミュレーション装置、シミュレーション方法、およびプログラムを提供すること。【解決手段】シミュレーション装置１は、データベース１０、マッチング処理部２０、フィッティング処理部３０、および表示部４０を備える。データベース１０は、ステントグラフト治療に関する過去の情報および過去の症例を記憶するとともに、マッチング処理部２０による選定結果を記憶する。マッチング処理部２０は、データベース１０に記憶されている情報と、３次元血管モデルと、に基づいて、患者の病変部に適したステントグラフトの規格の選定を行う。フィッティング処理部３０は、マッチング処理部２０により選定された規格のステントグラフトと、上述の３次元血管モデルと、を合成して、治療結果予想図として３次元データを生成する。【選択図】図１
2014057743.tif 000002
【特許請求の範囲】
【請求項１】
患者の生体器官３次元モデルに基づいて、体内留置型の管状治療具を用いた治療方針に関するシミュレーションを行うシミュレーション装置であって、
前記管状治療具を用いた治療に関する過去の情報および過去の症例を記憶するデータベースと、
前記データベースに記憶された前記過去の情報および過去の症例と、前記生体器官３次元モデルと、に基づいて、病変部の位置と、該病変部および該病変部の周囲の形状と、を解析し、該病変部に適した管状治療具の規格の選定を行うマッチング処理手段と、
該選定された規格の管状治療具と前記生体器官３次元モデルとを合成して、治療結果予想図としての３次元データを生成するフィッティング処理手段と、
前記マッチング処理手段による選定結果を前記データベースに記憶させる記憶手段と、を備えたことを特徴とするシミュレーション装置。
【請求項２】
前記生体器官３次元モデルが、分岐を有する血管の３次元血管モデルであり、
前記マッチング処理手段が、前記分岐の位置や形状からなる分岐状態をも含む前記病変部に適した管状治療具の規格の選定を行うことを特徴とする請求項１に記載のシミュレーション装置。
【請求項３】
前記マッチング処理手段は、前記病変部に適した管状治療具の規格として、該病変部に最適な管状治療具の規格を１つ選定することを特徴とする請求項１または２に記載のシミュレーション装置。
【請求項４】
前記フィッティング処理手段が生成した前記３次元データを表示する表示手段を備えることを特徴とする請求項１から３のいずれかに記載のシミュレーション装置。
【請求項５】
前記管状治療具がステントグラフトであることを特徴とする請求項１から４のいずれかに記載のシミュレーション装置。
【請求項６】
前記管状治療具がＺ型ステント骨格を有するステントグラフトであることを特徴とする請求項１から４のいずれかに記載のシミュレーション装置。
【請求項７】
患者の生体器官３次元モデルに基づいて、体内留置型の管状治療具を用いた治療方針に関するシミュレーションを行うシミュレーション方法であって、
前記管状治療具を用いた治療に関する過去の情報および過去の症例を記憶する情報記憶ステップと、
前記過去の情報および過去の症例と、前記生体器官３次元モデルと、に基づいて、病変部の位置と、該病変部および該病変部の周囲の形状と、を解析し、該病変部に適した管状治療具の規格の選定を行うマッチング処理ステップと、
該選定した規格の管状治療具と前記生体器官３次元モデルとを合成して、治療結果予想図としての３次元データを生成するフィッティング処理ステップと、
前記選定結果を前記過去の情報および過去の症例に追加する情報追加ステップと、を備えたことを特徴とするシミュレーション方法。
【請求項８】
前記生体器官３次元モデルが、分岐を有する血管の３次元血管モデルであり、
前記マッチング処理ステップにおいて、前記分岐の位置や形状からなる分岐状態をも含む前記病変部に適した管状治療具の規格の選定を行うことを特徴とする請求項７に記載のシミュレーション方法。
【請求項９】
患者の生体器官３次元モデルに基づいて、体内留置型の管状治療具を用いた治療方針に関するシミュレーションを行うシミュレーション方法をコンピュータに実行させるためのプログラムであって、
前記管状治療具を用いた治療に関する過去の情報および過去の症例を記憶する情報記憶ステップと、
前記過去の情報および過去の症例と、前記生体器官３次元モデルと、に基づいて、病変部の位置と、該病変部および該病変部の周囲の形状と、を解析し、該病変部に適した管状治療具の規格の選定を行うマッチング処理ステップと、
該選定した規格の管状治療具と前記生体器官３次元モデルとを合成して、治療結果予想図としての３次元データを生成するフィッティング処理ステップと、
前記選定結果を前記過去の情報および過去の症例に追加する情報追加ステップと、をコンピュータに実行させるためのプログラム。
【請求項１０】
前記生体器官３次元モデルが、分岐を有する血管の３次元血管モデルであり、
前記マッチング処理ステップにおいて、前記分岐の位置や形状からなる分岐状態をも含む前記病変部に適した管状治療具の規格の選定を行わせるための請求項９に記載のプログラム。
【発明の詳細な説明】
【技術分野】
【０００１】
本発明は、シミュレーション装置、シミュレーション方法、およびプログラムに関する。
【背景技術】
【０００２】
従来、動脈瘤の外科的治療方法として、ステントグラフト内挿術が提案されている（例えば、特許文献１参照）。このステントグラフトの内挿術においては、術前の患者の動脈瘤ＣＴ（Computed  Tomography）画像を解析し、手術の適応評価、留置位置の計画、規格選定などの治療方針を検討する。
【先行技術文献】
【特許文献】
【０００３】
【特許文献１】特開２０１０−２２７４８６号公報
【発明の概要】
【発明が解決しようとする課題】
【０００４】
血管や動脈瘤の形態には個人差があるとともに、患者の病変部に適したステントグラフトの規格選定および留置を術前に想定できる装置はなかった。このため、治療方針の検討には、医師の経験が重要であり、高精度かつ短時間に治療方針を検討することは容易ではなかった。
そして、上述の課題は、ステントグラフトに限らず、ステントグラフト以外の体内留置型の管状治療具（例えば、ステントや人工血管）でも生じていた。
【０００５】
そこで、本発明は、上述の課題に鑑みてなされたものであり、患者の体内に留置する体内留置型の管状治療具を用いた治療方針の検討を容易化できるシミュレーション装置、シミュレーション方法、およびプログラムを提供することを目的とする。
【課題を解決するための手段】
【０００６】
本発明は、上述の課題を解決するために、以下の事項を提案している。なお、理解を容易にするために、本発明の実施形態に対応する符号を付して説明するが、これに限定されるものではない。
【０００７】
（１）  本発明は、患者の生体器官３次元モデル（例えば、後述の３次元血管モデルＡＡに相当）に基づいて、体内留置型の管状治療具（例えば、図５のステントグラフトＢＢに相当）を用いた治療方針に関するシミュレーションを行うシミュレーション装置（例えば、図１のシミュレーション装置１に相当）であって、前記管状治療具を用いた治療に関する過去の情報および過去の症例を記憶するデータベース（例えば、図１のデータベース１０に相当）と、前記データベースに記憶された前記過去の情報および過去の症例と、前記生体器官３次元モデルと、に基づいて、病変部（例えば、図２の動脈瘤Ｘに相当）の位置と、該病変部および該病変部の周囲の形状と、を解析し、該病変部に適した管状治療具の規格の選定を行うマッチング処理手段（例えば、図１のマッチング処理部２０に相当）と、該選定された規格の管状治療具と前記生体器官３次元モデルとを合成して、治療結果予想図としての３次元データを生成するフィッティング処理手段（例えば、図１のフィッティング処理部３０に相当）と、前記マッチング処理手段による選定結果を前記データベースに記憶させる記憶手段（例えば、図１のマッチング処理部２０に相当）と、を備えたことを特徴とするシミュレーション装置を提案している。
【０００８】
この発明によれば、管状治療具を用いた治療に関する過去の情報および過去の症例と、患者の生体器官３次元モデルと、に基づいて、管状治療具の規格を選定する。このため、病変部の位置や、病変部および病変部の周辺の形状に応じて、患者の病変部に適した管状治療具の規格を選定できる。
また、選定した規格の管状治療具と生体器官３次元モデルとを合成して治療結果予想図としての３次元データを生成する。この３次元データを表示装置（例えば、後述の表示手段や外部モニタなど）に表示させれば、医師は、治療結果予想図を確認することで、病変部と管状治療具との位置関係をイメージすることができ、管状治療具の留置を術前に想定できる。
以上によれば、管状治療具を用いた治療方針の検討を容易化できる。
【０００９】
（２）  本発明は、（１）のシミュレーション装置について、前記生体器官３次元モデルが、分岐（例えば、図２の胸部大動脈Ａ１と、腕頭動脈Ａ１０、左総頸動脈Ａ２０、および左鎖骨下動脈Ａ３０と、との分岐に相当）を有する血管の３次元血管モデルであり、前記マッチング処理手段が、前記分岐の位置や形状からなる分岐状態をも含む前記病変部に適した管状治療具の規格の選定を行うことを特徴とするシミュレーション装置を提案している。
【００１０】
この発明によれば、血管の分岐の近傍に病変部が発生している場合に、この血管の分岐の位置や形状からなる分岐状態を考慮して管状治療具の規格を選定できる。
【００１１】
（３）  本発明は、（１）または（２）のシミュレーション装置について、前記マッチング処理手段は、前記病変部に適した管状治療具の規格として、該病変部に最適な管状治療具の規格を１つ選定することを特徴とするシミュレーション装置を提案している。
【００１２】
この発明によれば、病変部に最適なものとして選定された１つの管状治療具の規格をもとに、フィッティング処理手段による３次元データの生成処理など、後段の処理を行うことが可能となる。このため、病変部に適した管状治療具の規格として複数の規格を選定する場合と比較して、管状治療具を用いた治療方針の検討をさらに容易化できる。
【００１３】
（４）  本発明は、（１）〜（３）のいずれかのシミュレーション装置について、前記フィッティング処理手段が生成した前記３次元データを表示する表示手段（例えば、図１の表示部４０に相当）を備えることを特徴とするシミュレーション装置を提案している。
【００１４】
この発明によれば、治療結果予想図として生成された３次元データを、表示手段によって３次元表示する。このため、医師は、表示手段に表示された治療結果予想図を確認することで、病変部と管状治療具との位置関係をイメージすることができ、管状治療具の留置を術前に想定できる。
【００１５】
また、この発明によれば、上述のように治療結果予想図を３次元表示する。このため、患者は、治療結果予想図を確認することで、管状治療具を用いてどのような治療が行われるのかを術前に認識できる。
【００１６】
（５）  本発明は、（１）〜（４）のいずれかのシミュレーション装置について、前記管状治療具がステントグラフト（例えば、図５のステントグラフトＢＢに相当）であることを特徴とするシミュレーション装置を提案している。
【００１７】
この発明によれば、ステントグラフトを用いた治療方針の検討について、上述のように容易化できる。
【００１８】
（６）  本発明は、（１）〜（４）のいずれかのシミュレーション装置について、前記管状治療具がＺ型ステント骨格を有するステントグラフト（例えば、図５のステントグラフトＢＢに相当）であることを特徴とするシミュレーション装置を提案している。
【００１９】
この発明によれば、Ｚ型ステント骨格を有するステントグラフトを用いた治療方針の検討について、上述のように容易化できる。
【００２０】
（７）  本発明は、患者の生体器官３次元モデル（例えば、後述の３次元血管モデルＡＡに相当）に基づいて、体内留置型の管状治療具（例えば、図５のステントグラフトＢＢに相当）を用いた治療方針に関するシミュレーションを行うシミュレーション方法であって、前記管状治療具を用いた治療に関する過去の情報および過去の症例を記憶する情報記憶ステップ（例えば、ステントグラフトを用いた治療に関する過去の情報および過去の症例を図１のデータベース１０が記憶する処理に相当）と、前記過去の情報および過去の症例と、前記生体器官３次元モデルと、に基づいて、病変部（例えば、図２の動脈瘤Ｘに相当）の位置と、該病変部および該病変部の周囲の形状と、を解析し、該病変部に適した管状治療具の規格の選定を行うマッチング処理ステップ（例えば、図３のマッチング処理に相当）と、該選定した規格の管状治療具と前記生体器官３次元モデルとを合成して、治療結果予想図としての３次元データを生成するフィッティング処理ステップ（例えば、図４のフィッティング処理に相当）と、前記選定結果を前記過去の情報および過去の症例に追加する情報追加ステップ（例えば、図３のステップＳ４の処理に相当）と、を備えたことを特徴とするシミュレーション方法を提案している。
【００２１】
この発明によれば、管状治療具を用いた治療に関する過去の情報および過去の症例と、患者の生体器官３次元モデルと、に基づいて、管状治療具の規格を選定する。このため、病変部の位置や、病変部および病変部の周辺の形状に応じて、患者の病変部に適した管状治療具の規格を選定できる。
また、選定した規格の管状治療具と生体器官３次元モデルとを合成して治療結果予想図としての３次元データを生成する。この３次元データを表示装置（例えば、後述の表示手段や外部モニタなど）に表示させれば、医師は、治療結果予想図を確認することで、病変部と管状治療具との位置関係をイメージすることができ、管状治療具の留置を術前に想定できる。
以上によれば、管状治療具を用いた治療方針の検討を容易化できる。
【００２２】
（８）  本発明は、（７）のシミュレーション装置について、前記生体器官３次元モデルが、分岐（例えば、図２の胸部大動脈Ａ１と、腕頭動脈Ａ１０、左総頸動脈Ａ２０、および左鎖骨下動脈Ａ３０と、との分岐に相当）を有する血管の３次元血管モデルであり、前記マッチング処理ステップにおいて、前記分岐の位置や形状からなる分岐状態をも含む前記病変部に適した管状治療具の規格の選定を行うことを特徴とするシミュレーション方法を提案している。
【００２３】
この発明によれば、血管の分岐の近傍に病変部が発生している場合に、この血管の分岐の位置や形状からなる分岐状態を考慮して管状治療具の規格を選定できる。
【００２４】
（９）  本発明は、患者の生体器官３次元モデル（例えば、後述の３次元血管モデルＡＡに相当）に基づいて、体内留置型の管状治療具（例えば、図５のステントグラフトＢＢに相当）を用いた治療方針に関するシミュレーションを行うシミュレーション方法をコンピュータに実行させるためのプログラムであって、前記管状治療具を用いた治療に関する過去の情報および過去の症例を記憶する情報記憶ステップ（例えば、ステントグラフトを用いた治療に関する過去の情報および過去の症例を図１のデータベース１０が記憶する処理に相当）と、前記過去の情報および過去の症例と、前記生体器官３次元モデルと、に基づいて、病変部（例えば、図２の動脈瘤Ｘに相当）の位置と、該病変部および該病変部の周囲の形状と、を解析し、該病変部に適した管状治療具の規格の選定を行うマッチング処理ステップ（例えば、図３のマッチング処理に相当）と、該選定した規格の管状治療具と前記生体器官３次元モデルとを合成して、治療結果予想図としての３次元データを生成するフィッティング処理ステップ（例えば、図４のフィッティング処理に相当）と、前記選定結果を前記過去の情報および過去の症例に追加する情報追加ステップ（例えば、図３のステップＳ４の処理に相当）と、をコンピュータに実行させるためのプログラムを提案している。
【００２５】
この発明によれば、管状治療具を用いた治療に関する過去の情報および過去の症例と、患者の生体器官３次元モデルと、に基づいて、管状治療具の規格を選定する。このため、病変部の位置や、病変部および病変部の周辺の形状に応じて、患者の病変部に適した管状治療具の規格を選定できる。
また、選定した規格の管状治療具と生体器官３次元モデルとを合成して治療結果予想図としての３次元データを生成する。この３次元データを表示装置（例えば、後述の表示手段や外部モニタなど）に表示させれば、医師は、治療結果予想図を確認することで、病変部と管状治療具との位置関係をイメージすることができ、管状治療具の留置を術前に想定できる。
以上によれば、管状治療具を用いた治療方針の検討を容易化できる。
【００２６】
（１０）  本発明は、（９）のプログラムについて、前記生体器官３次元モデルが、分岐（例えば、図２の胸部大動脈Ａ１と、腕頭動脈Ａ１０、左総頸動脈Ａ２０、および左鎖骨下動脈Ａ３０と、との分岐に相当）を有する血管の３次元血管モデルであり、前記マッチング処理ステップにおいて、前記分岐の位置や形状からなる分岐状態をも含む前記病変部に適した管状治療具の規格の選定を行わせるためのプログラムを提案している。
【００２７】
この発明によれば、血管の分岐の近傍に病変部が発生している場合に、この血管の分岐の位置や形状からなる分岐状態を考慮して管状治療具の規格を選定できる。
【発明の効果】
【００２８】
本発明によれば、管状治療具を用いた治療方針の検討を容易化できる。
【図面の簡単な説明】
【００２９】
【図１】本発明の一実施形態に係るシミュレーション装置のブロック図である。
【図２】３次元血管モデルの一例を示す図である。
【図３】前記シミュレーション装置に設けられたマッチング処理部が行うマッチング処理のフローチャートである。
【図４】前記シミュレーション装置に設けられたフィッティング処理部が行うフィッティング処理のフローチャートである。
【図５】ステントグラフトの一例を示す図である。
【図６】前記フィッティング処理を説明するための図である。
【図７】前記フィッティング処理を説明するための図である。
【図８】前記フィッティング処理を説明するための図である。
【発明を実施するための形態】
【００３０】
以下、本発明の実施形態について、図面を用いて詳細に説明する。なお、本実施形態における構成要素は適宜、既存の構成要素などとの置き換えが可能であり、また、他の既存の構成要素との組合せを含む様々なバリエーションが可能である。したがって、本実施形態の記載をもって、特許請求の範囲に記載された発明の内容を限定するものではない。
【００３１】
図１は、本発明の一実施形態に係るシミュレーション装置１のブロック図である。シミュレーション装置１は、胸部大動脈の一部に発生した動脈瘤に対してステントグラフトを用いて治療を行うための治療方針に関するシミュレーションを行う。このシミュレーション装置１は、データベース１０、マッチング処理部２０、フィッティング処理部３０、および表示部４０を備える。
【００３２】
表示部４０は、画像を表示する表示装置であり、例えばブラウン管（ＣＲＴ）や、液晶ディスプレイで構成される。なお、この表示部４０は、パソコンに接続されるモニタであってもよいし、スマートフォンやタブレット端末といった携帯端末であってもよい。
【００３３】
データベース１０は、情報を記憶する記憶装置であり、例えばＥＰＲＯＭやフラッシュメモリといった不揮発性のメモリや、ハードディスクといった磁気ディスクや、ＣＤ−ＲＯＭで構成される。このデータベース１０は、ステントグラフト治療に関する過去の情報および過去の症例と、規格ごとのステントグラフトのＣＡＤデータと、を記憶しているとともに、マッチング処理部２０による後述の選定結果を適宜記憶する。
【００３４】
なお、上述のステントグラフト治療に関する過去の情報とは、例えば、治療した患者の病変部に対してどのようなステントグラフトの規格がこれまでに選定されたのかを示す情報のことである。また、上述の過去の症例とは、これまでに治療した患者の病変部に関する情報のことであり、例えば、動脈瘤の位置および形状や、ステントグラフトの留置位置の血管の形状などのことである。過去の情報やマッチング処理部２０による選定結果と、過去の症例と、は互いに紐付けられており、データベース１０を参照すれば、どのような病変部に対してどのようなステントグラフトの規格がこれまでに選定されたのかを判別できるようになっている。
【００３５】
マッチング処理部２０は、プロセッサやメモリを含んで構成される。このマッチング処理部２０は、データベース１０に記憶されている情報と、後述の３次元血管モデルと、に基づいて、動脈瘤の位置と、動脈瘤および動脈瘤の周囲の血管の形状と、を解析し、病変部に適したステントグラフトの規格の選定を行う。このマッチング処理部２０について、図２および図３を用いて以下に詳述する。
【００３６】
図２は、３次元血管モデルＡＡを示す図である。３次元血管モデルＡＡは、患者の胸部大動脈Ａ１にできた動脈瘤Ｘと、この動脈瘤Ｘの周辺の血管と、のＣＴデータをＣＡＤ（Computer  Aided  Design）データ化したものである。３次元血管モデルは、シミュレーション装置１において生成されるものであってもよいし、シミュレーション装置１の外部において生成されるものであってもよい。
【００３７】
なお、図２に示す３次元血管モデルＡＡにおいて、胸部大動脈Ａ１からは、腕頭動脈Ａ１０、左総頸動脈Ａ２０、および左鎖骨下動脈Ａ３０が分岐している。また、腕頭動脈Ａ１０は、右総頸動脈Ａ１１および右鎖骨下動脈Ａ１２に分岐している。
【００３８】
図３は、マッチング処理部２０が行うマッチング処理のフローチャートである。
【００３９】
ステップＳ１において、マッチング処理部２０は、データベース１０に記憶されている情報と、３次元血管モデルＡＡと、を読み出し、ステップＳ２に処理を移す。なお、３次元血管モデルＡＡの生成をシミュレーション装置１が行う場合には、このステップＳ１において、マッチング処理部２０や、シミュレーション装置１に設けられたマッチング処理部２０以外の構成が、３次元血管モデルＡＡを生成し、この３次元血管モデルＡＡをマッチング処理部２０が読み出すものとする。また、３次元血管モデルＡＡの生成をシミュレーション装置１の外部で行う場合には、シミュレーション装置１の外部で生成された３次元血管モデルＡＡを、このステップＳ１において、マッチング処理部２０が読み出すものとする。
【００４０】
ステップＳ２において、マッチング処理部２０は、ステップＳ１において読み出した各種情報に基づいて、動脈瘤Ｘの位置と、動脈瘤Ｘおよび動脈瘤Ｘの周囲の血管の形状と、を解析し、ステップＳ３に処理を移す。
【００４１】
ステップＳ３において、マッチング処理部２０は、ステップＳ２における解析結果に基づいて、患者の病変部に適したステントグラフトの規格の選定を行い、ステップＳ４に処理を移す。
【００４２】
なお、患者の病変部に適したステントグラフトの規格の選定には、患者の大動脈瘤長、中枢側または末梢側ネック長（ステントグラフトの固定部の長さ）、ネック径（ステントグラフトの固定部に対応する血管部分の径）などのパラメータを用いる。これらパラメータは、患者の３次元血管モデルＡＡを生成する際に求められ、生成された３次元血管モデルＡＡと紐付けられる。
図２におけるネック長とは、左鎖骨下動脈Ａ３０または左総頸動脈Ａ２０の起始部から、動脈瘤Ｘの起始部までの長さのことである。
また、図２におけるネック径とは、動脈瘤Ｘの起始部における中枢側および末梢側の胸部大動脈Ａ１の正常血管部分の径のことである。
【００４３】
また、マッチング処理部２０による選定結果には、患者の病変部に適したステントグラフトの形状、径、貫通孔（後述の図５の貫通孔Ｂ１を参照）の形状や位置などのパラメータが含まれるものとする。
【００４４】
また、ステントグラフトの規格の選定では、マッチング処理部２０は、患者の病変部に最適な規格を１つを選定してもよいし、患者の病変部に適した規格を複数選定してもよい。マッチング処理部２０が複数の規格を選定した場合には、その中から１つを、患者の病変部に最適な規格としてシミュレーション装置１の操作者（例えば医師）に選定させるものとする。
【００４５】
ステップＳ４において、マッチング処理部２０は、ステップＳ３における選定結果をデータベース１０に記憶させ、ステップＳ５に処理を移す。
【００４６】
ステップＳ５において、マッチング処理部２０は、シミュレーション装置１の操作者（例えば医師）に対して、ステップＳ３における選定結果を出力し、図３のマッチング処理を終了する。なお、選定結果の出力については、例えば、表示部４０により選定結果を画像で表示することで実現してもよいし、選定結果を紙に印刷することで実現してもよい。
【００４７】
図１に戻って、フィッティング処理部３０は、プロセッサやメモリを含んで構成される。このフィッティング処理部３０は、マッチング処理部２０により選定された規格のステントグラフトと、上述の３次元血管モデルＡＡと、を合成して、治療結果予想図として３次元データを生成する。このフィッティング処理部３０について、図４〜７を用いて以下に詳述する。
【００４８】
図４は、フィッティング処理部３０が行うフィッティング処理のフローチャートである。
【００４９】
ステップＳ１１において、フィッティング処理部３０は、マッチング処理部２０による選定結果に基づいて、患者の病変部に最適な規格のステントグラフトのＣＡＤデータをデータベース１０より抽出し、ステップＳ１２に処理を移す。この処理によれば、動脈瘤Ｘの位置と、動脈瘤Ｘおよび動脈瘤Ｘの周囲の血管の形状と、を考慮したステントグラフトのＣＡＤデータが、データベース１０より抽出されることになる。
【００５０】
図５は、フィッティング処理部３０においてデータベース１０より抽出されたステントグラフトＢＢのＣＡＤデータを示す図である。ステントグラフトは、ステントと呼ばれる骨格に、グラフトと呼ばれる人工血管を被覆したものである。ステントは、いわゆるＺ型ステント骨格を有しており、金属細線がジグザグ状に折り返されるとともに、略円筒状に形成されている。金属細線は、例えばステンレス鋼や、Ｎｉ−Ｔｉ合金や、チタン合金で形成される。一方、グラフトは、ステントを外周から覆うように縫合固定され、例えばＰＴＦＥ（ポリテトラフルオロエチレン）といったフッ素樹脂や、ポリエチレンテレフタレートといったポリエステル樹脂で形成される。図５のステントグラフトＢＢのグラフトの一部には、２つの貫通孔Ｂ１が設けられている。
【００５１】
図４に戻って、ステップＳ１２において、フィッティング処理部３０は、ステップＳ１１においてデータベース１０より抽出したステントグラフトＢＢのＣＡＤデータと、上述の３次元血管モデルＡＡと、に基づいて、ステントグラフトＢＢを留置した場合の治療結果予想図を、３次元データで生成し、ステップＳ１３に処理を移す。
【００５２】
図６〜８は、図２の３次元血管モデルＡＡと、図５のステントグラフトＢＢと、に基づいて、フィッティング処理部３０により上述の３次元データを生成する過程を示す図である。図６、７、８の順番にステントグラフトＢＢを移動および変形させていくことにより、ステントグラフトＢＢを胸部大動脈Ａ１の形状に合わせるとともに、腕頭動脈Ａ１０、左総頸動脈Ａ２０、および左鎖骨下動脈Ａ３０を貫通孔Ｂ１から突出させる。これによれば、腕頭動脈Ａ１０、左総頸動脈Ａ２０、および左鎖骨下動脈Ａ３０の血流を妨げることなく動脈瘤Ｘの近傍にステントグラフトＢＢを留置する場合の治療結果予想図が、３次元データで生成されることになる。
【００５３】
なお、３次元データを生成する際に、フィッティング処理部３０は、シミュレーション装置１の操作者（例えば医師）による入力を受付け、受付けた入力を用いることとしてもよい。この場合、シミュレーション装置１の操作者は、表示部４０に表示される３次元データを見て、ステントグラフトの径や角度や、貫通孔の形状や位置などについて、クリックしたり数値を入力したりできるものとする。そして、これらクリックや数値の入力に応じて、フィッティング処理部３０が３次元データを適宜調整するものとする。
【００５４】
図４に戻って、ステップＳ１３において、フィッティング処理部３０は、ステップＳ１２において生成した３次元データを表示部４０により表示させ、図４に示したフィッティング処理を終了する。
【００５５】
以上のシミュレーション装置１によれば、以下の効果を奏することができる。
【００５６】
シミュレーション装置１は、ステントグラフトを用いた治療に関する過去の情報および過去の症例と、患者の３次元血管モデルと、に基づいて、ステントグラフトの規格を選定する。このため、動脈瘤の位置と、動脈瘤および動脈瘤の周囲の血管の形状と、に応じて、患者の病変部に適したステントグラフトの規格を選定できる。
また、選定した規格のステントグラフトと３次元血管モデルとを合成して治療結果予想図を生成し、この治療結果予想図を３次元表示する。このため、医師は、３６０度に亘って好きな角度から治療結果予想図を確認して、血管とステントグラフトとの位置関係をイメージすることができ、ステントグラフトの留置を術前に想定できる。
以上によれば、ステントグラフトを用いた治療方針の検討を容易化できる。
【００５７】
また、シミュレーション装置１は、治療結果予想図を３次元表示する。このため、患者は、３６０度に亘って好きな角度から治療結果予想図を確認して、ステントグラフトを用いてどのような治療が行われるのかを術前に認識できる。これによれば、患者の治療に対する不安を軽減できる。
【００５８】
以上、この発明の実施形態につき、図面を参照して詳述してきたが、具体的な構成はこの実施形態に限られるものではなく、この発明の要旨を逸脱しない範囲の設計等も含まれる。
【００５９】
例えば、上述の実施形態では、管状治療具としてステントグラフトを例に挙げて説明したが、これに限らず、ステントや人工血管などの体内留置型の管状治療具であれば本発明を適用できる。なお、ステントグラフトとしては、胸部大動脈用のステントグラフト以外には、例えば、腹部大動脈用のステントグラフトや、胸腹部大動脈用のステントグラフトがある。また、ステントとしては、例えば、コロナリーステントといった血管内留置用ステントや、胆管ステントといった血管以外の器官に留置するステントがある。
【００６０】
また、上述の実施形態では、病変部として動脈瘤を挙げて説明したが、これに限らない。例えば、静脈瘤や狭窄部が病変部である場合にも、本発明を適用できる。なお、上述の動脈瘤とは、例えば大動脈瘤や脳動脈瘤や抹消動脈瘤（膝窩動脈瘤、腸骨動脈瘤など）のことであり、上述の静脈瘤とは、例えば下肢静脈瘤のことである。
【符号の説明】
【００６１】
１・・・シミュレーション装置
１０・・・データベース
２０・・・マッチング処理部
３０・・・フィッティング処理部
４０・・・表示部
ＡＡ・・・３次元血管モデル
Ａ１・・・胸部大動脈
Ａ１０・・・腕頭動脈
Ａ１１・・・右総頸動脈
Ａ１２・・・右鎖骨下動脈
Ａ２０・・・左総頸動脈
Ａ３０・・・左鎖骨下動脈
ＢＢ・・・ステントグラフト
Ｂ１・・・貫通孔
Ｘ・・・動脈瘤
【図１】
2014057743.tif 000003
【図３】
2014057743.tif 000004
【図４】
2014057743.tif 000005
【図２】
2014057743.tif 000006
【図５】
2014057743.tif 000007
【図６】
2014057743.tif 000008
【図７】
2014057743.tif 000009
【図８】
2014057743.tif 000010